(57)【要約】【課題】効率的にレーザ加工条件を作成できるレーザ加工装置、レーザ加工条件作成方法及びレーザ加工条件作成処理プログラムを記録した記録媒体を提供すること。【解決手段】制御部は、記憶装置に記憶されたレーザ加工条件を複製するとともに、レーザ加工条件を設定データ毎に表示画面４１に一覧表示するようにした。また、作業者が一覧表示された設定データを表示画面４１上で選択し、編集ボタン６３に接触することで変更できるようにした。そして、設定ボタン６５に接触することで、表示画面４１上で選択されたレーザ加工条件を制御部が記憶装置に記憶させるようにした。【選択図】図４
2009059061.tif 000002
【特許請求の範囲】
【請求項１】
所定の設定データにより構成される複数のレーザ加工条件を記憶する記憶手段と、
前記記憶手段に記憶された前記レーザ加工条件を選択する選択手段と、を備え、
前記選択手段により選択された前記レーザ加工条件に基づいて加工対象物にレーザ光を照射することにより、該加工対象物を加工するレーザ加工装置であって、
前記記憶手段に記憶された前記レーザ加工条件を複製可能な複製手段と、
前記複製手段により複製された前記レーザ加工条件の前記設定データを、前記レーザ加工条件毎に一覧表示する表示手段と、
前記表示手段により表示された前記設定データを、入力手段からの入力に基づいて変更する変更手段と、
前記変更手段により前記設定データが変更された前記レーザ加工条件を前記記憶手段に記憶させる制御手段と
を備えたことを特徴とするレーザ加工装置。
【請求項２】
前記複製手段は、
前記記憶手段に記憶された前記レーザ加工条件を読み込み、前記設定データが一覧表示された一覧表示画面にて前記複数のレーザ加工条件を複製可能であることを特徴とする請求項１に記載のレーザ加工装置。
【請求項３】
前記レーザ加工条件を前記設定データ毎に、所定の記号により区切られたファイルに変換し、出力する出力手段と、
前記所定の記号により区切られたファイルを外部から取得する取得手段と
を備えたことを特徴とする請求項１又は２に記載のレーザ加工装置。
【請求項４】
所定の設定データにより構成される複数のレーザ加工条件を記憶する記憶手段と、
前記記憶手段に記憶された前記レーザ加工条件を選択する選択手段と、を備え、
前記選択手段により選択された前記レーザ加工条件に基づいて加工対象物にレーザ光を照射することにより、該加工対象物を加工するレーザ加工装置のレーザ加工条件作成方法であって、
前記記憶手段により記憶された前記レーザ加工条件を複製し、複製された前記レーザ加工条件の前記設定データを、前記レーザ加工条件毎に一覧表示するステップと、
一覧表示された前記設定データを、入力手段からの入力に基づいて変更するステップと、
前記設定データが変更された前記レーザ加工条件を前記記憶手段に記憶させるステップと
を備えたことを特徴とするレーザ加工条件作成方法。
【請求項５】
所定の設定データにより構成される複数のレーザ加工条件を記憶する記憶手段と、前記記憶手段に記憶された前記レーザ加工条件を選択する選択手段と、を備え、前記選択手段により選択された前記レーザ加工条件に基づいて加工対象物にレーザ光を照射することにより、該加工対象物を加工するレーザ加工装置におけるレーザ加工条件の作成処理を行うレーザ加工条件作成処理プログラムを記録したコンピュータに読み取り可能な記録媒体であって、
前記記憶手段により記憶された前記レーザ加工条件を複製し、複製された前記レーザ加工条件の前記設定データを、前記レーザ加工条件毎に一覧表示する処理と、
一覧表示された前記設定データを、入力手段からの入力に基づいて変更する処理と、
前記設定データが変更された前記レーザ加工条件を前記記憶手段に記憶させる処理と
を前記コンピュータに実行させることを特徴とするレーザ加工条件作成処理プログラムを記録した記録媒体。
【発明の詳細な説明】
【技術分野】
【０００１】
本発明は、レーザ光を照射して加工対象物を加工するレーザ加工装置、レーザ加工条件作成方法及びレーザ加工条件作成処理プログラムを記録した記録媒体に関するものである。
【背景技術】
【０００２】
従来、加工対象物の表面にレーザ光を走査させて、文字・記号・図形等のマーキング情報（以下、マークという。）の印字加工等を行うレーザ加工装置が知られている（例えば、特許文献１）。この種のレーザ加工装置は、例えば工場の生産ライン等に設置され、ベルトコンベア等の搬送装置によって搬送される加工対象物にレーザ光を照射することで、その表面にマークを印字している。レーザ加工装置には、所定の設定データ（例えば、加工対象物の材質等に応じた最適なレーザパワー、レーザ光の走査速度、印字するマークの種類及び印字位置等）から構成されるレーザ加工条件に任意のファイル名が付されて記憶されている。そして、作業者が加工対象物毎にそれぞれレーザ加工条件を作成し、レーザ加工装置が該レーザ加工条件に基づいてレーザ光を照射することで、加工対象物の表面に所望のマークが印字される。
【特許文献１】特開２００４−２４３３２８号公報
【発明の開示】
【発明が解決しようとする課題】
【０００３】
ところで、一般に工場においては、同一の生産ラインに多品種（例えば、２００〜３００品種）の製品が搬送されるため、これらの製品に応じたレーザ加工条件を１つずつ作成する必要がある。このような場合、作業者は、新規又は既存のレーザ加工条件のファイルを開き、設定データを入力して新たに保存するといった作業を、それぞれのレーザ加工条件に対して行う必要がある。そのため、これらのレーザ加工条件の作成のために時間を要し、作業効率が低下するという問題があった。
【０００４】
特に、レーザ加工装置を用いて印字するに際しては、同じ材質の加工対象物に対してマークのみを変更して印字する場合や、レーザパワーのみを所定値ずつ変更して同じマークを印字する場合等がある。これらの場合には、一部の設定データ（例えば、レーザパワーのみ）が異なる類似のレーザ加工条件を複数作成することが必要となるが、類似のレーザ加工条件であっても、上記の作業をそれぞれのレーザ加工条件に対して行う必要があり、作業効率の低下が顕著なものとなっていた。
【０００５】
本発明は上記問題点を解決するためになされたものであって、その目的は、効率的にレーザ加工条件を作成できるレーザ加工装置、レーザ加工条件作成方法及びレーザ加工条件作成処理プログラムを記録した記録媒体を提供することにある。
【課題を解決するための手段】
【０００６】
上記目的を達成するため、請求項１に記載の発明は、所定の設定データにより構成される複数のレーザ加工条件を記憶する記憶手段と、前記記憶手段に記憶された前記レーザ加工条件を選択する選択手段と、を備え、前記選択手段により選択された前記レーザ加工条件に基づいて加工対象物にレーザ光を照射することにより、該加工対象物を加工するレーザ加工装置であって、前記記憶手段に記憶された前記レーザ加工条件を複製可能な複製手段と、前記複製手段により複製された前記レーザ加工条件の前記設定データを、前記レーザ加工条件毎に一覧表示する表示手段と、前記表示手段により表示された前記設定データを、入力手段からの入力に基づいて変更する変更手段と、前記変更手段により前記設定データが変更された前記レーザ加工条件を前記記憶手段に記憶させる制御手段とを備えた。
【０００７】
同構成によれば、複製手段により複製されたレーザ加工条件の設定データがレーザ加工条件毎に表示手段によって一覧表示され、一覧表示された設定データが変更手段により変更される。そして、制御手段により、設定データが変更されたレーザ加工条件が記憶手段に記憶されることで、新たなレーザ加工条件が作成される。従って、一覧表示された設定データを変更することで新たなレーザ加工条件が作成されるため、従来のように１つずつレーザ加工条件を作成する場合に比べ、効率的にレーザ加工条件が作成される。特に、類似のレーザ加工条件を複数作成する場合には、基準となるレーザ加工条件を複製し、一覧表示された設定データのうちの一部の設定データ（例えば、レーザパワーのみ）を変更すればよいため、効率的に類似のレーザ加工条件が作成される。
【０００８】
請求項２に記載の発明は、請求項１に記載のレーザ加工装置において、前記複製手段は、前記記憶手段に記憶された前記レーザ加工条件を読み込み、前記設定データが一覧表示された一覧表示画面にて前記複数のレーザ加工条件を複製可能である。同構成によれば、各レーザ加工条件の設定データを確認しながら複製するレーザ加工条件を選択できるため、ファイル名から複製するレーザ加工条件を選択する場合に比べ、容易に選択すべきレーザ加工条件を選択することが可能になる。
【０００９】
請求項３に記載の発明は、請求項１又は２に記載のレーザ加工装置において、前記レーザ加工条件を前記設定データ毎に、所定の記号により区切られたファイルに変換し、出力する出力手段と、前記所定の記号により区切られたファイルを外部から取得する取得手段とを備えた。同構成によれば、レーザ加工条件の設定データが所定の記号により区切られたファイルに変換されるため、例えば１つのレーザ加工条件の設定データをカンマで区切って１行に並べるＣＳＶ（Comma Separated Value）形式のファイルに変換することが可能になる。そして、このようなファイルを外部のコンピュータ等に出力することで、表計算ソフトを用いてより効率的にレーザ加工条件が作成される。
【００１０】
請求項４に記載の発明は、所定の設定データにより構成される複数のレーザ加工条件を記憶する記憶手段と、前記記憶手段に記憶された前記レーザ加工条件を選択する選択手段と、を備え、前記選択手段により選択された前記レーザ加工条件に基づいて加工対象物にレーザ光を照射することにより、該加工対象物を加工するレーザ加工装置のレーザ加工条件作成方法であって、前記記憶手段により記憶された前記レーザ加工条件を複製し、複製された前記レーザ加工条件の前記設定データを、前記レーザ加工条件毎に一覧表示するステップと、一覧表示された前記設定データを、入力手段からの入力に基づいて変更するステップと、前記設定データが変更された前記レーザ加工条件を前記記憶手段に記憶させるステップとを備えた。
【００１１】
同構成によれば、複製されたレーザ加工条件の設定データがレーザ加工条件毎に一覧表示され、一覧表示された設定データが変更される。そして、設定データが変更されたレーザ加工条件が記憶手段に記憶されることで、新たなレーザ加工条件が作成される。従って、一覧表示された設定データを変更することで新たなレーザ加工条件が作成されるため、従来のように１つずつレーザ加工条件を作成する場合に比べ、効率的にレーザ加工条件が作成される。特に、類似のレーザ加工条件を複数作成する場合には、一覧表示された設定データのうちの一部の設定データを変更すればよいため、効率的に類似のレーザ加工条件が作成される。
【００１２】
請求項５に記載の発明は、所定の設定データにより構成される複数のレーザ加工条件を記憶する記憶手段と、前記記憶手段に記憶された前記レーザ加工条件を選択する選択手段と、を備え、前記選択手段により選択された前記レーザ加工条件に基づいて加工対象物にレーザ光を照射することにより、該加工対象物を加工するレーザ加工装置におけるレーザ加工条件の作成処理を行うレーザ加工条件作成処理プログラムを記録したコンピュータに読み取り可能な記録媒体であって、前記記憶手段により記憶された前記レーザ加工条件を複製し、複製された前記レーザ加工条件の前記設定データを、前記レーザ加工条件毎に一覧表示する処理と、一覧表示された前記設定データを、入力手段からの入力に基づいて変更する処理と、前記設定データが変更された前記レーザ加工条件を前記記憶手段に記憶させる処理とを前記コンピュータに実行させるようにした。
【００１３】
同構成によれば、複製されたレーザ加工条件の設定データがレーザ加工条件毎に一覧表示され、一覧表示された設定データが変更される。そして、設定データが変更されたレーザ加工条件が記憶手段に記憶されることで、新たなレーザ加工条件が作成される。従って、一覧表示された設定データを変更することで新たなレーザ加工条件が作成されるため、従来のように１つずつレーザ加工条件を作成する場合に比べ、効率的にレーザ加工条件が作成される。特に、類似のレーザ加工条件を複数作成する場合には、一覧表示された設定データのうちの一部の設定データを変更すればよいため、効率的に類似のレーザ加工条件が作成される。
【発明の効果】
【００１４】
本発明によれば、効率的にレーザ加工条件を作成可能なレーザ加工装置、レーザ加工条件作成方法及びレーザ加工条件作成処理プログラムを記録した記録媒体を提供することができる。
【発明を実施するための最良の形態】
【００１５】
以下、本発明を具体化した一実施形態を図面に従って説明する。
図１に示すように、レーザ加工装置１１のヘッド部１２は、加工対象物Ｗが搬送される搬送路ＴＲの上方に設けられている。このヘッド部１２にはコントローラ部１３が電気的に接続されるとともに、コントローラ部１３にはコンソール１４が接続されている。レーザ加工装置１１は、ヘッド部１２の下方の加工位置まで搬送されてきた加工対象物Ｗの表面上に所望の文字・記号・図形等のマーキング情報（以下、マークという）を印字するようになっている。なお、本実施形態では、ヘッド部１２、コントローラ部１３及びコンソール１４によりレーザ加工装置１１が構成される。
【００１６】
図２に示すように、ヘッド部１２はレーザ光源２１を備えている。レーザ光源２１は、例えば気体ガスレーザの炭酸ガスレーザ、固体レーザであるＹＡＧレーザ、半導体レーザ、ファイバレーザ等である。そして、レーザ光源２１は、コントローラ部１３に備えられた制御部３１に接続されており、制御部３１から所定の駆動信号が入力されると、駆動信号に対応するレーザパワーのレーザ光Ｌが出射されるようになっている。
【００１７】
レーザ光源２１の出射側には、一対のガルバノミラー２２Ｘ，２２Ｙが配設されている。一対のガルバノミラー２２Ｘ，２２Ｙは、それぞれ対応するガルバノモータ２３Ｘ，２３Ｙに回動可能に連結駆動されるミラーである。ガルバノモータ２３Ｘ，２３Ｙは、制御部３１によってその駆動が制御される。レーザ光源２１からのレーザ光Ｌは、各ガルバノミラー２２Ｘ，２２Ｙの偏向反射によってその方向が変更され、収束レンズ２４に入射されるとともに、該収束レンズ２４により加工対象物Ｗの表面において所定のスポット径となるまで収束されるようになっている。そして、ガルバノモータ２３Ｘ，２３Ｙが駆動して各ガルバノミラー２２Ｘ，２２Ｙが回動すると、レーザ光源２１からのレーザ光Ｌの方向が変化し、加工対象物Ｗの表面上にレーザ光Ｌが走査されるようになっている。
【００１８】
コントローラ部１３は、ＣＰＵ等からなる選択手段、複製手段、制御手段、出力手段及び取得手段としての制御部３１を備え、同制御部３１には、ハードディスク等からなる記憶手段としての記憶装置３２が接続されている。記憶装置３２には、所定の設定データ（例えば、加工対象物の材質等に応じた最適なレーザパワー、レーザ光Ｌの走査速度、印字するマークの種類及び印字位置等）から構成されるレーザ加工条件が任意のファイル名を付されて記憶されている。また、制御部３１には、外部信号入力部３３が接続されるとともに、図示しないＰＬＣ（Programmable Logic Controller）からの信号が外部信号入力部３３を介して入力されるようになっている。
【００１９】
なお、ＰＬＣは、搬送路ＴＲにおいてヘッド部１２が設置された位置よりも上流側に設けられたセンサ（図示略）からの信号により搬送される加工対象物Ｗの種類を判断するとともに、該判断に基づいて制御部３１が記憶装置３２から読み出すレーザ加工条件を決定し、制御信号をコントローラ部１３に入力する。そして、制御部３１は、外部信号入力部３３に入力された制御信号に基づいて所定のレーザ加工条件を記憶装置３２から選択して読み出し、該レーザ加工条件に基づいて上記レーザ光源２１及びガルバノモータ２３Ｘ，２３Ｙを制御し、加工対象物Ｗに所望のマークを印字するようになっている。
【００２０】
また、制御部３１には、接続Ｉ／Ｆ部３４が接続されるとともに、同接続Ｉ／Ｆ部３４を介してコンソール１４が接続されている。本実施形態では、接続Ｉ／Ｆ部３４には、コンソール１４の他にＵＳＢ（Universal Serial Bus）メモリ３５が接続可能になっている。さらに、制御部３１には、データ入出力部３６が接続されるとともに、同データ入出力部３６には外部のコンピュータが接続可能になっている。
【００２１】
コンソール１４は液晶ディスプレイ等からなる表示画面４１と、同表示画面４１の表面に配置されたタッチパネルからなる入力部４２とを備えている。表示画面４１及び入力部４２は、接続Ｉ／Ｆ部３４を介して制御部３１に接続されている。そして、コンソール１４は、表示画面４１に、制御部３１からの信号に応じて文字等を表示するとともに、その文字等が表示された範囲に対する接触を入力部４２にて検出し、同入力部４２からの信号を制御部３１に出力するようになっている。本実施形態では、制御部３１と表示画面４１とにより表示手段が構成され、制御部３１と入力部４２とにより入力手段が構成されている。
【００２２】
次に、レーザ加工条件の作成及び編集について説明する。なお、説明の便宜のため、レーザ加工条件が「レーザパワー」、「スキャンスピード」、「印字文字列」の３つの設定データにより構成される場合について説明する。
【００２３】
図３は、レーザ加工条件を選択するレーザ加工条件選択画面を示す説明図である。コンソール１４の表示画面４１中央には、レーザ加工条件のファイル名とそのファイル番号が表示されるファイル表示ウィンドウ５１が配置されている。そして、作業者がファイル表示ウィンドウ５１におけるファイル名に接触することで、同ファイル名のレーザ加工条件が選択されるようになっている。また、表示画面４１において、右上部分には選択されたレーザ加工条件を別名で保存するための保存ボタン５２が配置されるとともに、保存ボタン５２の下側には、選択されたレーザ加工条件の設定データを一覧表示するための一覧表示ボタン５３が配置されている。そして、一覧表示ボタン５３の下には、選択されたレーザ加工条件を選択されていない状態に戻すキャンセルボタン５４が配置されている。さらに、キャンセルボタン５４の下には、選択されたレーザ加工条件を設定データ毎に、所定の記号により区切られたファイルに変換して外部に出力する出力ボタン５５が配置されている。
【００２４】
レーザ加工条件が選択された状態で作業者が一覧表示ボタン５３に接触すると、図４に示すように選択されたレーザ加工条件の設定データがレーザ加工条件毎に一覧表示され一覧表示画面に切り替わる。表示画面４１中央には、設定データの一覧表６１が配置されるとともに、該一覧表６１の左端の欄には、レーザ加工条件のファイル番号「Ｎｏ．」が表示される。そして、作業者が表示画面４１における設定データが表示された部分に接触することで同設定データが選択されるとともに、レーザ加工条件に付された「Ｎｏ．」の部分に接触することで同レーザ加工条件が選択されるようになっている。「Ｎｏ．」の欄については、同時に複数選択することが可能になっている。
【００２５】
表示画面４１において、右上部分には選択されたレーザ加工条件のファイルをコピー（複製）するためのコピーボタン６２が配置されている。また、コピーボタン６２の下側には、選択された設定データの値又は文字列を変更するための編集ボタン６３が配置されるとともに、同編集ボタン６３の下には、選択された設定データを選択されていない状態に戻すキャンセルボタン６４が配置されている。そして、キャンセルボタン６４の下には、選択されたレーザ加工条件のファイルを記憶装置３２に記憶させるための設定ボタン６５が配置されている。
【００２６】
なお、本実施形態では、「ファイル名」及び「印字文字列」の欄の設定データを選択した状態で編集ボタン６３に接触すると、例えばアルファベット「Ａ」〜「Ｚ」及び「ａ」〜「ｚ」を表示画面４１上で選択可能な画面に切り替わり、「ファイル名」及び「印字文字列」を任意の文字列に変更することができる。また、「レーザパワー」及び「スキャンスピード」の欄の設定データを選択した状態で編集ボタン６３に接触すると、数字「０」〜「９」及び小数点「．」を表示画面４１上で選択可能な画面に切り替わり、「レーザパワー」及び「スキャンスピード」を任意の値に変更することができる。
【００２７】
次に、レーザ加工条件を一覧表示して複製するレーザ加工条件作成方法について、図４に示したレーザ加工条件（ファイル名［ファイルＡ］）を基準として、例えば「レーザパワー」のみが所定値（本実施形態では、「５」）ずつ異なる類似のレーザ加工条件を７つ作成する場合について説明する。図４に示すように設定データが一覧表示された状態で、［ファイルＡ］のレーザ加工条件を選択し、コピーボタン６２に７回接触することで、図５に示すように、［ファイルＡ］のレーザ加工条件が７つ複製される。なお、本実施形態では、レーザ加工条件の「ファイル名」は、文字列の最後のアルファベットが順次変更されて新たなファイル名が付されるようになっている。そして、各ファイルの「レーザパワー」の覧を選択するとともに、編集ボタン６３に接触してその値を変更する。
【００２８】
このようにすることで、図６に示すように、「レーザパワー」が［ファイルＡ］のレーザ加工条件から所定値ずつ大きくなったファイルが７つ作成される。そして、各ファイルの「Ｎｏ．」の欄を選択した状態で設定ボタン６５に接触することで、選択された各レーザ加工条件が制御部３１により記憶装置３２に記憶される。
【００２９】
従って、従来のように、新規又は既存のレーザ加工条件のファイルを開き、設定データを変更して新たに保存するといった作業をそれぞれのレーザ加工条件に対して行う必要がなく、一覧表示された設定データを変更することで新たなレーザ加工条件が作成されるため、効率的にレーザ加工条件が作成される。特に「レーザパワー」等のみが異なる類似のレーザ加工条件を複数作成する場合には、一覧表示された設定データのうちの一部の設定データを変更すればよいため、効率的に類似のレーザ加工条件が作成される。
【００３０】
また、制御部３１は、図３に示すレーザ加工条件選択画面において、レーザ加工条件を選択した状態で出力ボタン５５に接触すると、レーザ加工条件を設定データ毎に、所定の記号により区切られたファイルに変換するとともに、接続Ｉ／Ｆ部３４に接続されたＵＳＢメモリ３５に出力する。本実施形態では、制御部３１は、レーザ加工条件を設定データ毎に、カンマで区切って１行に並べるＣＳＶ（Comma Separated Value）形式のファイルに変換するとともに、ＣＳＶ形式のファイル変換されたレーザ加工条件を、接続Ｉ／Ｆ部３４に接続されたＵＳＢメモリ３５に出力する。そして、このＵＳＢメモリ３５を外部のコンピュータ等に接続することで、表計算ソフトを用いて効率的にレーザ加工条件を編集することが可能になる。また、制御部３１は、外部で編集されたレーザ加工条件を接続Ｉ／Ｆ部３４に接続されたＵＳＢメモリ３５から取得し、該レーザ加工条件を記憶装置３２に記憶させる。このようにすることで、レーザ加工条件が表計算ソフトを用いて編集されるため、より効率的にレーザ加工条件が作成される。
【００３１】
以上記述したように、本実施形態によれば、以下の効果を奏する。
（１）制御部３１は、記憶装置３２に記憶されたレーザ加工条件を複製するとともに、レーザ加工条件を設定データ毎に表示画面４１に一覧表示するようにした。また、作業者が一覧表示された設定データを表示画面４１上で選択し、編集ボタン６３に接触することで変更できるようにした。そして、設定ボタン６５に接触することで、表示画面４１上で選択されたレーザ加工条件を制御部３１が記憶装置３２に記憶させるようにした。従って、一覧表示された設定データを変更することで新たなレーザ加工条件が作成されるため、従来のように１つずつレーザ加工条件を作成する場合に比べ、効率的にレーザ加工条件を作成できる。特に、類似のレーザ加工条件を複数作成する場合には、一覧表示された設定データのうちの一部の設定データを変更すればよいため、効率的に類似のレーザ加工条件を作成できる。
【００３２】
（２）制御部３１は、表示画面４１上でレーザ加工条件が一覧表示された状態で、作業者によってレーザ加工条件が選択されてコピーボタン６２に接触されると、選択されたレーザ加工条件が複製されるようにした。つまり、作業者は、各レーザ加工条件の設定データを確認しながら複製するレーザ加工条件を選択できるため、ファイル名から複製するレーザ加工条件を選択する場合に比べ、容易に選択すべきレーザ加工条件を選択することができる。
【００３３】
（３）制御部３１は、レーザ加工条件を設定データ毎に、カンマで区切って１行に並べるＣＳＶ形式のファイルに変換するとともに、ＣＳＶ形式のファイル変換されたレーザ加工条件を、接続Ｉ／Ｆ部３４を介して接続されたＵＳＢメモリ３５に出力する。そして、制御部３１は、外部で編集されたレーザ加工条件を取得し、該レーザ加工条件を記憶装置３２に記憶させるようにした。そのため、表計算ソフトを用いて効率的にレーザ加工条件を編集することができ、より効率的にレーザ加工条件を作成できる。
【００３４】
なお、本実施形態は、以下の態様で実施してもよい。
・本実施形態において、図７に示すように、コントローラ部１３とコンピュータ７１とをデータ入出力部３６を介して接続してもよい。この場合、本実施形態で示したようにレーザ加工条件を一覧表示して複製するレーザ加工条件作成処理プログラムが、例えばＣＤ−ＲＯＭ等からなる記録媒体７２に記録された状態で供給され、該プログラムがコンピュータ７１内部の記憶装置にインストールされる。そして、コンピュータ７１内部の制御部によって上記プログラムが実行されるようにする。このようにコンピュータ７１によりレーザ加工条件を作成する場合には、ヘッド部１２、コントローラ部１３及びコンピュータ７１によりレーザ加工装置１１が構成される。
【００３５】
・本実施形態では、接続Ｉ／Ｆ部３４に接続されたＵＳＢメモリ３５にレーザ加工条件を出力したが、これに限らず、ＣＤ−ＲＯＭ等その他の記録媒体であってもよい。
・本実施形態では、複製されたレーザ加工条件のファイルは、文字列の最後のアルファベットが順次変更されて新たなファイル名が付されるようしたが、これに限らず、文字列の最後に数字が付されるようにしてもよい。
【００３６】
・本実施形態では、「ファイル名」及び「印字文字列」の欄の設定データを選択した状態で編集ボタン６３に接触すると、アルファベット「Ａ」〜「Ｚ」及び「ａ」〜「ｚ」を表示画面４１上で選択可能な画面に切り替わるようにした。これに限らず、アルファベット以外に、例えばひらがな「あ」〜「ん」等その他の文字や数字を選択可能な画面に切り替わるようにしてもよい。また、「レーザパワー」及び「スキャンスピード」の欄の設定データを選択した状態で編集ボタン６３に接触すると、数字「０」〜「９」及び小数点「．」を表示画面４１上で選択可能な画面に切り替わるようにしたが、これに限らず、任意の値を入力可能であればどのような形式でもよい。
【００３７】
・本実施形態では、「レーザパワー」のみを所定値ずつ変更した類似のレーザ加工条件を作成したが、これに限らず、「スキャンスピード」や「印字文字列」等その他の設定データを変更した類似のレーザ加工条件を作成してもよい。
【００３８】
・本実施形態では、レーザ加工条件を「レーザパワー」、「スキャンスピード」、「印字文字列」の３つの設定データから構成したが、これに限らず、レーザ光源２１のパルス周期や、「印字文字列」の大きさ等を含めてレーザ加工条件を構成してもよく、文字列の他にロゴファイルを印字するようにレーザ加工条件を構成してもよい。
【００３９】
・本実施形態では、レーザ加工条件をまとめて記憶装置３２に記憶させたが、これに限らず、レーザ加工条件を「レーザパワー」等の加工設定に関する設定データと、「印字文字列」の種類やロゴファイルなどに関する設定データとに分け、別々の記憶装置に記憶させるようにしてもよい。
【００４０】
・本実施形態では、図４に示すように設定データが一覧表示された状態で、［ファイルＡ］のレーザ加工条件を選択し、コピーボタン６２に７回接触して、［ファイルＡ］のレーザ加工条件を７つ複製した。しかし、これに限らず、例えばレーザ加工条件を１つ複製した状態で、これら２つのレーザ加工条件を選択し、コピーボタン６２に接触して、レーザ加工条件を２つずつ複製するようにしてもよい。
【００４１】
・本実施形態では、図４に示すように、設定データが表示画面４１に一覧表示された状態で、レーザ加工条件を選択して複写したが、これに限らず、図３に示すように、レーザ加工条件のファイル名が表示された状態でレーザ加工条件を選択し、保存ボタン５２によってレーザ加工条件を複製してもよい。
【００４２】
・本実施形態では、レーザ加工条件選択画面には、保存ボタン５２、一覧表示ボタン５３、キャンセルボタン５４及び出力ボタン５５を配置し、一覧表示画面には、コピーボタン６２、編集ボタン６３、キャンセルボタン６４及び設定ボタン６５を配置した。しかし、これに限らず、各画面にその他の機能を有するボタンを配置してもよく、その配置位置は適宜変更してもよい。
【００４３】
・本実施形態では、接続Ｉ／Ｆ部３４に表示画面４１及び入力部４２を備えたコンソール１４を接続したが、これに限らず、接続Ｉ／Ｆ部３４にコンピュータを接続し、そのディスプレイにレーザ加工条件選択画面及び一覧表示画面を表示するとともに、キーボードやマウスを操作して入力を行うようにしてもよい。この場合、接続Ｉ／Ｆ部３４に接続されたコンピュータ、ヘッド部１２及びコントローラ部１３によりレーザ加工装置１１が構成される。
【００４４】
・本実施形態では、設定データを所定の記号により区切ったファイルの一例として、ＣＳＶ形式のファイルとしたが、これに限らず、表計算ソフトで読み取り可能であれば、他の形式のファイルであってもよい。
【００４５】
・本実施形態では、ヘッド部１２にレーザ光源２１、ガルバノミラー２２Ｘ，２２Ｙ及びガルバノモータ２３Ｘ，２３Ｙが設けられていたが、これに限らず、レーザ光源２１がコントローラ部１３に設けられたレーザ加工装置に本発明を適用してもよい。
【００４６】
・本実施形態では、加工対象物の表面にレーザ光を走査させて、マークを印字するレーザ加工装置に本発明を適用したが、これに限らず、加工対象物Ｗの切断や穴あけ加工等を行うレーザ加工装置に適用してもよい。
【図面の簡単な説明】
【００４７】
【図１】レーザ加工装置の概略構成図。
【図２】レーザ加工装置のブロック図。
【図３】表示画面にレーザ加工条件選択画面が表示された画像を示す説明図。
【図４】表示画面に一覧表示画面が表示された画像を示す説明図。
【図５】表示画面に一覧表示画面が表示された画像を示す説明図。
【図６】表示画面に一覧表示画面が表示された画像を示す説明図。
【図７】別のレーザ加工装置の概略構成図。
【符号の説明】
【００４８】
１１…レーザ加工装置、１２…ヘッド部、１３…コントローラ部、１４…コンソール、３１…制御部、３２…記憶装置、４１…表示画面、７１…コンピュータ、７２…記録媒体、Ｌ…レーザ光、Ｗ…加工対象物。
【図１】
2009059061.tif 000003
【図２】
2009059061.tif 000004
【図３】
2009059061.tif 000005
【図４】
2009059061.tif 000006
【図５】
2009059061.tif 000007
【図６】
2009059061.tif 000008
【図７】
2009059061.tif 000009